(57)【要約】【課題】芳香剤の香りを車室内に拡散させる芳香ユニットを、簡単に据え付けることができるようにする。【解決手段】芳香剤容器１１の蓋（装置本体）１０２には、上面１０２ｂにソーラーパネル１０３を配置し、該パネル１０３の下方には電動ファン１０１を配置する。そして、蓋１０２の部分には通気孔１０２ａを穿設しておく。太陽光の照射を受けてソーラーパネル１０３が発電し、その電力が電動ファン１０１に供給されて、該ファン１０１が回転駆動される。その風は、容器１０１の内部の芳香剤１１１に当てられ、通気孔１０２ａから車室内に吹き出される。その結果、芳香剤１１１の香りは車室内に拡散される。このような構成の芳香ユニット１は、ソーラーパネル１０３を内蔵しているので、外部電源から電力の供給を受ける場合のような配線作業は不要となり、簡単に据え付けることができる。【選択図】図１
2007143757.tif 000002
【特許請求の範囲】
【請求項１】
電動ファンを用いて芳香剤の香りを拡散させるようにした芳香装置において、
芳香剤容器の蓋の形状をして、該容器に着脱可能に装着される装置本体と、
芳香剤容器の内外を連通するように前記装置本体に形成された少なくとも１つの通気孔と、
前記装置本体の表面に配置されたソーラーパネルと、
前記芳香剤に風を当てるように該芳香剤に対向する位置に配置されると共に前記ソーラーパネルに電気的に接続された電動ファンと、
を備えたことを特徴とする芳香装置。
【請求項２】
前記ソーラーパネルは前記装置本体の上面に配置され、
前記通気孔は、前記装置本体の側面に複数配置され、
前記電動ファンは、前記装置本体の上面に略垂直な軸の周りに回転可能なように、かつ、該装置本体の内面との間に所定の間隙を形成するように配置された、
ことを特徴とする請求項１に記載の芳香装置。
【請求項３】
芳香剤を収納すると共に螺子部を有する芳香剤容器と、
該螺子部に螺着可能となるように構成された請求項１又は２に記載の芳香装置と、
を備えたことを特徴とする芳香ユニット。
【請求項４】
前記芳香剤はジェル状である、
ことを特徴とする請求項３に記載の芳香ユニット。
【発明の詳細な説明】
【技術分野】
【０００１】
本発明は、一般的には、電動ファンを用いて芳香剤の香りを拡散させるようにした芳香装置、及び該芳香装置を備えた芳香ユニットに係り、詳しくは、自動車の車室内にて使用するのに好適な芳香装置及び芳香ユニットに関する。
【背景技術】
【０００２】
従来、芳香剤の香りを拡散させるようにした芳香装置であって、自動車の車室内で使用されるようにしたものは種々提案されている。例えば、
・  芳香剤を容器に入れ、その香りが車室内に自然拡散されるようにしたもの（例えば、特許文献１参照。以下、"従来例１"とする。）
・  自動車用電源にて回転される香り拡散専用のファンを設けたもの（例えば、特許文献２参照。以下、"従来例２"とする。）
・  香り拡散専用のファンを設けず、車両用空気調和装置の風によって香りを拡散させるようにしたもの（例えば、特許文献３参照。以下、"従来例３"とする。）
【特許文献１】特開平７−２３６６８６号公報
【特許文献２】特開２００２−３６２１４３号公報
【特許文献３】特開平０８−３１８７３２号公報
【発明の開示】
【発明が解決しようとする課題】
【０００３】
しかしながら、上記従来例１のものでは、香りの拡散にファンを利用しないので、その拡散が不十分であるという問題があった。
【０００４】
また、上記従来例２のように自動車用電源を使用する場合には、配線をしたり、その配線を隠したりという作業が必要となり、芳香装置の設置が大変であった。
【０００５】
さらに、上記従来例３のように車両用空調装置の風を利用する場合には、芳香剤の設置箇所が限定されてしまったり、香りの拡散の度合いが空調装置の風量に依存してしまったりする（例えば、冷房や暖房を効かそうとして風量を強くすると、好むと好まざるとにかかわらず香りが強くなってしまったりする）という問題があった。
【０００６】
そこで、本発明は、上述した問題を回避できる芳香装置、及び該芳香装置を備えた芳香ユニットを提供することを目的とするものである。
【課題を解決するための手段】
【０００７】
本発明は上記事情を考慮してなされたものであり、請求項１に係る発明は、電動ファン（１０１）を用いて芳香剤（１１１）の香りを拡散させるようにした芳香装置（１０）において、
芳香剤容器（１１）の蓋の形状をして、該容器（１１）に着脱可能に装着される装置本体（１０２）と、
芳香剤容器（１１）の内外を連通するように前記装置本体（１０２）に形成された少なくとも１つの通気孔（１０２ａ）と、
前記装置本体（１０２）の表面に配置されたソーラーパネル（１０３）と、
前記芳香剤（１１１）に風を当てるように該芳香剤（１１１）に対向する位置に配置されると共に前記ソーラーパネル（１０３）に電気的に接続された電動ファン（１０１）と、を備えたことを特徴とする。
【０００８】
この場合、前記ソーラーパネル（１０３）は前記装置本体（１０２）の上面（１０２ｂ）に配置され、
前記通気孔（１０２ａ）は、前記装置本体（１０２）の側面（１０２ｃ）に複数配置され、
前記電動ファン（１０１）は、前記装置本体（１０２）の上面（１０２ｂ）に略垂直な軸（１０２ｄ）の周りに回転可能なように、かつ、該装置本体（１０２）の内面との間に所定の間隙（Δｄ）を形成するように配置すると良い。
【０００９】
一方、本発明は、芳香剤（１１１）を収納すると共に螺子部（１１ａ）を有する芳香剤容器（１１）と、
上述した芳香装置（１０）であって、該螺子部（１１ａ）に螺着可能となるように構成された芳香装置と、を備える芳香ユニット（１）に関する。
【００１０】
この場合、前記芳香剤（１１１）はジェル状にすると良い。
【発明の効果】
【００１１】
以上説明したように、請求項１等に係る発明によると、電動ファンを利用することにより、芳香剤の香りを車室内に十分に拡散させることができる。また、ソーラーパネルを内蔵し自動車用電源は使用しないので、設置の際に配線をしたり、配線を隠したりする必要がなく、設置作業の手間もかからない。さらに、太陽光が当たる所であれば何処に設置しても良く、設置場所を選ばないという効果もある。また、車両空調装置の風を利用するものでも無いので、空調装置の風の量に従って香りの拡散の度合いが変化してしまったりすることも無い。
【００１２】
さらに、芳香剤をジェル状にした場合には、電動ファン等へ芳香剤が付着しにくくなる。
【発明を実施するための最良の形態】
【００１３】
以下、図１及び図２を参照して、本発明の実施の形態について説明する。
【００１４】
本発明に係る芳香装置は、図１及び図２に符号１０で例示するものであって、電動ファン１０１を用いて芳香剤１１１の香りを拡散させるようにしたものである。具体的には、芳香装置１０の本体１０２（例えば、プラスチック製）は、芳香剤１１１を収納する芳香剤容器１１の"蓋"の形状をしていて、該容器１１に着脱可能に装着されるようになっている。したがって、容器内の芳香剤１１１が消費されて無くなってしまった場合には、容器１１を該芳香装置１０から取り外し、
・  詰め替え用の芳香剤を容器内に充填するようにしても、
・  或いは、芳香剤容器そのものを（芳香剤が充填済みの別の容器に）取り替えるようにしても、
いずれでも良い。
【００１５】
なお、芳香装置１０の芳香剤容器１１への装着は、螺子式が好ましいが、他の方式であっても良い。
【００１６】
ところで、上述した装置本体１０２には、芳香剤容器１１の内外を連通するための通気孔１０２ａが少なくとも１つ形成されている。本発明に係る芳香装置では、容器外部から内部に空気を取り入れると共に、容器内部から外部に香りを拡散させる必要があるため、複数の通気孔１０２ａ（空気取り入れ用のものと、空気排出用のもの）を設けておくことが好ましい。ところで、装置本体１０２の上面１０２ｂの広い面積にはソーラーパネル１０３を配置すべきなので（詳細は次述する）、通気孔１０２ａは装置本体１０２の側面１０２ｃ（装置本体１０２が芳香剤容器１１に装着された状態で、通気孔１０２ａが容器１１によって閉塞されないような部分）に配置すると良い。その場合の通気孔１０２ａは、装置本体１０２の強度を低下させないような形状及び個数にすると良い。
【００１７】
一方、装置本体１０２の表面にはソーラーパネル（太陽電池）１０３が配置されている。このソーラーパネル１０３は、装置本体１０２の上面１０２ｂに配置すると良く、しかも、できるだけ広い面積の部分に配置すると良い（例えば、４０ｍｍ×４０ｍｍ）。
【００１８】
また、前記装置本体１０２の内側には、芳香剤１１１に対向する位置に電動ファン１０１が配置されている。この電動ファン１０１は、前記ソーラーパネル１０３に電気的に接続されていて、該ソーラーパネル１０３からの電力により駆動されるようになっている。この電動ファン１０１は、ブラケット１０４を介して前記装置本体１０２に支持されている。具体的には、該電動ファン１０１は、
・  前記装置本体の上面１０２ｂに略垂直な軸１０２ｄの周りに回転可能なように、かつ、
・  該装置本体の内面との間に所定の間隙（図２のΔｄ参照）を形成するように
配置すると良い。ところで、電動ファン１０１としては、シロッコファン等のような厚い寸法のものではなく、パソコン空冷用のＣＰＵファンのような薄いタイプのものを使用すると良い。後者のＣＰＵファンを使用した場合には、ファンの取付けが容易で、しかも、装置本体１０２を薄くすることができる。なお、電動ファン１０１の回転方向はどちらでも良く、
・  電動ファン１０１からの風が直接  芳香剤１１１に当たるようにしても、
・  逆に、芳香剤１１１によって香りが付けられた空気を電動ファン１０１が吸引して、容器外部に放出するようにしても、
どちらでも良い。
【００１９】
また一方、本発明に係る芳香ユニット１は、上述した構成の芳香装置１０と、該芳香装置１０が装着可能に構成されると共に芳香剤１１１を収納する芳香剤容器（例えば、ガラス製）１１と、を備えている。芳香剤容器１１には螺子部１１ａを形成しておいて、芳香装置１０の装置本体１０２が、該螺子部１１ａに螺着可能となるように構成しておくと良い。
【００２０】
ところで、本発明においては、電動ファン１０１やソーラーパネル１０３は芳香剤１１１に対向する位置に配置されることとなるが、電動ファン１０１等への芳香剤１１１の付着を防止した方が良い。そのためには、芳香剤１１１としては、液状のものよりもジェル状のものが好ましい。但し、請求項１乃至３に係る発明の権利範囲から液状の芳香剤を排除する趣旨ではない。
【００２１】
本発明によれば、電動ファン１０１を利用することにより、芳香剤１１１の香りを車室内に十分に拡散させることができる。また、ソーラーパネル１０３を内蔵していて自動車用電源は使用していないので、設置の際に配線をしたり、配線を隠したりする必要がなく、設置作業の手間もかからない。さらに、太陽光が当たる所であれば何処に設置しても良く、設置場所を選ばないという効果もある。また、車両空調装置の風を利用するものでも無いので、空調装置の風の量に従って香りの拡散の度合いが変化してしまったりすることも無い。さらに、芳香剤１１１をジェル状にした場合には、電動ファン１０１等へ芳香剤１１１が付着しにくくなる。
【図面の簡単な説明】
【００２２】
【図１】図１(a) は、本発明に係る芳香ユニットの構造の一例を示す側面図であり、同図(b) は、その平面図である。
【図２】図２は、本発明に係る芳香装置の構造の一例を示す断面図である。
【符号の説明】
【００２３】
１          芳香ユニット
１０        芳香装置
１１        芳香剤容器
１１ａ      螺子部
１０１      電動ファン
１０２      装置本体
１０２ａ    通気孔
１０２ｂ    上面
１０２ｃ    側面
１０３      ソーラーパネル
１１１      芳香剤
【図１】
2007143757.tif 000003
【図２】
2007143757.tif 000004